(57)【特許請求の範囲】
【請求項１】
機器を組み付ける機器取付板が配置されて壁面に固定される本体と、前記本体の前面を覆う蓋体とを有する情報分電盤用箱体であって、
前記本体は板状に形成されると共に、前記蓋体は前面板と当該前面板の背部を囲む側面板とを有して箱状に形成されて成り、
前記本体は、周囲に一定の奥行きを有する枠部を具備し、当該枠部と前記機器取付板との間にケーブルを入線するための開口部を有し、
更に前記枠部の前面側周囲には、前記蓋体の側面板後端部が係合する段部が周設されてなる一方、
前記蓋体は、前記側面板の左右後部に前記本体に係止する係止爪を有すると共に、前記前面板の左右端部に前記係止爪の係止を解除させる一対の取っ手を有し、
前記蓋体内部には前記取っ手の操作を前記係止爪に伝達する連携部材が設けられて成り、
前記取っ手の横方向外側への移動操作により、前記係止爪が係止解除動作することを特徴とする情報分電盤用箱体。
【請求項２】
前記連携部材が、前後方向へ延びる帯状に形成され、その表面に前後方向へ延びるリブが上下方向に複数並設されているとともに、
前記連携部材の前後方向での中間部位が、前記連携部材を前記蓋体の内面に軸着するための軸着部とされている一方、
前記蓋体の側面の内面に、前記連携部材を上下から挟むように一対の軸支壁が立設されているとともに、
前記連携部材を軸着するための回動ピンが、前記一対の軸支壁及び軸着部を上下に貫通するように挿通されており、
さらに、前記リブのうち上下両端のリブにおける前記軸着部が切り欠かれていることを特徴とする請求項１に記載の情報分電盤用箱体。
【発明の詳細な説明】
【技術分野】
【０００１】
本発明は、住宅の壁面等に設置されて各種情報機器を収納する情報分電盤に使用する箱体に関する。
【背景技術】
【０００２】
従来より、モデムや光回線の終端装置（ＯＮＵ）、更にはテレビ信号のブースタ等を一括して収納する情報分電盤がある。例えば特許文献１に開示されたものは、情報機器を収納する本体と、この本体の開放された前面を覆う蓋体とで構成され、本体上部からケーブル等を導入して内部機器に接続している。また蓋体は本体に蝶着され、上下方向の回動操作で蓋体を開閉可能としている。
【先行技術文献】
【特許文献】
【０００３】
【特許文献１】特開２０１０−１０４０７３号公報
【発明の概要】
【発明が解決しようとする課題】
【０００４】
上記情報分電盤は、本体に加えて蓋体も箱状に形成されているため、蓋体の開閉をスムーズに実施するには設置した壁面周囲に、特に蓋体の回動方向に空間が必要であった。また、本体が箱形状であり、機器の設置面の周囲が側板で閉塞されている。そのため、機器を組み付ける際や配線を接続する際に側板が邪魔になる場合があった。
特に情報分電盤では、電源線に加えてＬＡＮケーブルや同軸ケーブルが多く引き回されるため、このような情報を伝送するケーブルは大きなストレスが加わると外れたり損傷し易いため、接続作業や配線の引き回しには注意を要した。
【０００５】
そこで、本発明はこのような問題点に鑑み、機器の組み付けやケーブルの接続作業が側板等で制約されず、また蓋体の着脱がし易い情報分電盤用箱体を提供することを目的としている。
【課題を解決するための手段】
【０００６】
上記課題を解決する為に、請求項１の発明は、 機器を組み付ける機器取付板が配置されて壁面に固定される本体と、本体の前面を覆う蓋体とを有する情報分電盤用箱体であって、本体は板状に形成されると共に、蓋体は前面板と当該前面板の背部を囲む側面板とを有して箱状に形成されて成り、本体は、周囲に一定の奥行きを有する枠部を具備し、当該枠部と機器取付板との間にケーブルを入線するための開口部を有し、更に枠部の前面側周囲には、蓋体の側面板後端部が係合する段部が周設されてなる一方、蓋体は、側面板の左右後部に本体に係止する係止爪を有すると共に、前面板の左右端部に係止爪の係止を解除させる一対の取っ手を有し、蓋体内部には取っ手の操作を係止爪に伝達する連携部材が設けられて成り、取っ手の横方向外側への移動操作により、係止爪が係止解除動作することを特徴とする。
この構成によれば、本体は板状であるため、蓋体を取り付けない状態では前方に加えて周囲側方も開放されており、機器取付板の周囲に障害物がないため機器をスムーズに組み付けできる。また、同様に開口部から入線した配線の接続作業も容易に実施でき、作業者の負担を軽減できる。そして、本体は周設されている枠体により強度を維持でき、機器を組み付けても変形等生じないよう形成できる。更に、本体に周設された段部に蓋体の開放端部が係合して装着され、隙間が発生し難い。加えて、取っ手を左右方向へ開く操作で本体との係止が解除されるため、作業者は両手で左右から蓋体を持ちながら、双方の親指で取っ手を開操作するスムーズな操作で蓋体を本体から分離できる。そして、分離した蓋体を手前に引けば取り外しでき、箱体の周囲に隙間が無くても容易に蓋体の着脱ができる。
【０００８】
請求項２の発明は、請求項１に記載の構成において、連携部材が、前後方向へ延びる帯状に形成され、その表面に前後方向へ延びるリブが上下方向に複数並設されているとともに、連携部材の前後方向での中間部位が、連携部材を蓋体の内面に軸着するための軸着部とされている一方、蓋体の側面の内面に、連携部材を上下から挟むように一対の軸支壁が立設されているとともに、連携部材を軸着するための回動ピンが、一対の軸支壁及び軸着部を上下に貫通するように挿通されており、さらに、リブのうち上下両端のリブにおける軸着部が切り欠かれていることを特徴とする。
この構成によれば、連携部材の蓋体への取付時に、切り欠かれた部位を介して軸支壁における回動ピンの挿通部を目視しながら、軸支壁及び軸着部の両回動ピンの挿通部の位置を合わせつつ、回動ピンを挿通させることができる。したがって、連携部材の取付作業の容易化を図ることができる。
【発明の効果】
【０００９】
本発明によれば、本体は板状であるため、蓋体を取り付けない状態では前方に加えて周囲側方も開放されており、機器取付板の周囲に障害物がないため機器をスムーズに組み付けできる。また、同様に開口部から入線した配線の接続作業も容易に実施でき、作業者の負担を軽減できる。そして、本体は周設されている枠体により強度を維持でき、機器を組み付けても変形等生じないよう形成できる。
加えて、取っ手を左右方向へ開く操作で本体との係止が解除されるため、作業者は両手で左右から蓋体を持ちながら、双方の親指で取っ手を開操作するスムーズな操作で蓋体を本体から分離できる。
【図面の簡単な説明】
【００１０】
【図１】本発明に係る情報分電盤用箱体の一例を示す斜視図である。
【図２】図１の情報分電盤用箱体を後方から見た斜視図であり、本体と蓋体とを分離して示している。
【図３】本体を前方から見た斜視図である。
【図４】（ａ）は本体の正面図、（ｂ）はＡ−Ａ線断面図である。
【図５】蓋体を後方から見た斜視図である。
【図６】左側の取っ手の中央を横方向に切断した情報分電盤用箱体の断面説明図であり、（ａ）は蓋体が本体に係止している状態、（ｂ）は係止解除した状態を示している。
【図７】図１のＡ部拡大図で、（ａ）は図１の係止状態、（ｂ）は係止を解除した状態を示している。
【図８】本体を正面から示した説明図である。
【図９】本体の正面側を示した斜視説明図である。
【図１０】図８中のＡ−Ａ線断面を示した説明図である。
【図１１】蓋体が取り付けられた本体のＡ−Ａ線断面を示した説明図である。
【図１２】蓋体を後側から示した斜視説明図である。
【図１３】回動ピンが挿通された状態にある連携部材の軸着部を拡大して示した説明図である。
【図１４】回動ピンを挿通する途中の段階にある連携部材の軸着部を拡大して示した説明図である。
【発明を実施するための形態】
【００１１】
以下、本発明を具体化した実施の形態を、図面を参照して詳細に説明する。図１は本発明に係る情報分電盤用箱体の一例を示す斜視図であり、１は機器が組み付けられる本体、２は本体の前面を覆う蓋体であり、両者とも合成樹脂により形成されている。また、図２はこの本体１と蓋体２とを分離して後方から見た斜視図、図３は本体１を前方から見た斜視図を示している。さらに、図４（ａ）は本体１の正面図、図４（ｂ）はＡ−Ａ線断面図、図５は蓋体２を後方から見た斜視図を示している。
【００１２】
本体１は、図４（ｂ）に示すように断面コ字状に形成されて前後方向に一定の厚みを有する枠体１１が周設され、全体は板状に形成されている。そして、図３に示すように比較的薄く形成された中央部は前面に機器を組み付けるための木製の機器取付板５が組み付けられ、その４隅は本体１にネジ止め固定されている。
また、６は組み付けられた機器に電源を供給するための電源コンセントであり、枠体１１と機器取付板５の間となる機器取付板５の上下には、配線を挿通したり電源コンセント６を組み付けるための空間が設けられ、開口部１２が形成されている。但し、ここでは電源コンセント６は下側の開口部１２に取り付けた構成を示している。
また、左右枠部１１の中央には、蓋体２の後述する係止爪２５が係止する係止凹部１３が設けられ、枠体１１の前面側縁部には段部１１ａが周設されて蓋体２との当接部を形成している。
【００１３】
尚、本体１の背面全体は、枠体１１の背面位置に合わせて突起部は一様な高さで形成され、全体で平坦な面が形成されている。このため、壁面に取り付けた際に全体が密着して安定した取り付けを可能としている。また図２に示すように、機器取付板５の背部となる本体１の中央付近は、軽量化のために矩形の開口部１４が複数設けられている。
【００１４】
一方、蓋体２は、図１、４に示すように、前面を覆う前面板２１の周囲に左右側面２２ａ、天面２２ｂ、底面２２ｃを構成する側面板２２が周設され、箱状に形成されている。そして、背部全体が開放されて機器が組み付けられた本体１の前面を覆うよう形成されている。また、側面板２２の後端部は本体１の枠体１１に形成された段部１１ａに合致するよう一様な辺を有して形成されている。さらに、図６に示すように左側面２２ａは、前方へ向かって右側へ傾斜する傾斜面とされており、右側面２２ａは、同様に、前方へ向かって左側へ傾斜する傾斜面とされている。また、天面２２ｂは前方へ向かって下降する傾斜面とされており、底面２２ｃは前方へ向かって上昇する傾斜面とされている。
尚、天面２２ｂ、底面２２ｃには通気によって蓋体２内の熱を逃がすための複数の孔２３が穿設されている。
【００１５】
また、図１に示すように前面板２１の左右端部中央には、本体１との係止を解除するための取っ手２４が設けられ、図２に示すように左右側面２２ａの後部中央には本体１を覆った際に本体１の係止凹部１３に係止する係止爪２５が設けられている。
図６はこの取っ手２４と係合爪２５の連携構造を示す説明図であり、左側の取っ手２４の中央を横方向に切断して下方から見た断面説明図であり、（ａ）は係止した状態、（ｂ）は係止解除した状態を示している。尚、右側の取っ手２４と係止爪２５の関係は、同様であるため説明を省略する。
【００１６】
図６に示すように、取っ手２４と係止爪２５とは連携部材２６により連結されている。具体的に、連携部材２６は前後方向に長く帯状に形成され、中間部位が側面２２ａに形成された軸着部２６ａに回動可能に軸着されている。そして、後端部に係止爪２５が一体に形成され、先端部は取っ手２４に連結されている。
【００１７】
この様な構成により、取っ手２４を操作しない通常状態では、図６（ａ）に示す係止した状態にある。この状態では、取っ手２４は蓋体２に形成された収納部２ａに収納されて、前面板２１に対して凹凸のない平坦な状態を形成している。
一方、取っ手２４を横方向外側に移動操作すると、図６（ｂ）に示すように取っ手２４の移動に伴い、連携部材２６が僅かに回動し、係止爪２５が反対方向に移動する。即ち本体１との係止が解除され、蓋体２を手前前方に移動でき、蓋体２の取り外しが可能となる。ただし、当該操作時、取っ手２４の左右方向で外端は、左右側面２２ａの基端部よりも外側まで達することはない。
尚、図１に示す取っ手２４は係止爪２５が本体１に係止した状態、図２に示す取っ手２４は係止爪２５の係止を解除した状態を示している。
【００１８】
図７はＡ部拡大図であり、取っ手２４の操作前、操作後の状態を示している。図７（ａ）は図１の状態で操作前の状態、（ｂ）は操作後で係止爪の係止を解除した状態を示し、取っ手２４は係止爪２５が係止した通常状態では、図７（ａ）に示すように蓋体２の収容部２ａに収容された状態にあり、前面板２１及び側面２２ａと面一の状態にあり、突起部がない。そして、図７（ｂ）に示すように側方に僅かに引き出すことで、係止爪２５の本体１への係止が解除される。
【００１９】
このように、作業者は両手で蓋体２の左右側面を持ちながら、一方の手の親指で取っ手２４を操作することが可能であり、蓋体２を持ちながら係止爪２５の係止解除操作が可能である。そして、係止が解除された蓋体２をそのまま手前に引けば蓋体２を取り外しでき、箱体２の周囲に隙間が無くても容易に蓋体２の着脱が可能となる。
また、左側の取っ手２４は左に移動させ、右側の取っ手２４は右に移動させる。即ち扉を開くような操作で本体１との係止が解除されるため、蓋体２を左右の手で持った状態で、双方の親指で取っ手２４をスムーズに操作でき、蓋体２の着脱をスムーズに行うことができる。
更に、取っ手２４を操作しない状態では、蓋体２の前面板２１に対して突起部がなく面一の状態となり、美観上も好ましい。
【００２０】
さらにまた、蓋体２の左側面２２ａは、前方へ向かって右側へ傾斜する傾斜面とされており、右側面２２ａは、同様に、前方へ向かって左側へ傾斜する傾斜面とされている。すなわち、側面板の左右両側面が、前方へ向かって左右方向で夫々内側へ傾斜する傾斜面とされているため、本発明に係る情報分電盤用箱体を部屋の隅等の壁と壁とが交差する箇所に設置したとしても、側面２２ａと壁との間に隙間が形成されることになる。したがって、そのような場所に設置したとしても、上述したような蓋体２の着脱を容易に行うことができる。
またさらに、取っ手２４を左右方向外側へ移動操作した際、取っ手２４の左右方向で外端は、左右側面２２ａの基端部よりも外側まで達しないため、情報分電盤用箱体を部屋の隅等に設置したとしても、蓋体２の着脱を極めて容易に行うことができる。
加えて、天面２２ｂは前方へ向かって下降する傾斜面とされており、底面２２ｃは前方へ向かって上昇する傾斜面とされているため、情報分電盤用箱体を部屋の天井際や床際に設置したとしても、天面２２ｂと天井との間や、底面２２ｃと床との間に隙間が形成されることになる。したがって、そのような場所に設置したとしても、天面２２ｂや底面２２ｃに設けられた孔２３が塞がれることがなく、蓋体２内の換気が阻害されにくい。
【００２１】
一方、本体１は板状であるため、蓋体２を取り付けない状態では前方に加えて周囲側方も開放されており、機器取付板５の周囲に障害物がないため機器をスムーズに組み付けできる。また、同様に開口部１２から入線したケーブル等の配線の引き回しや接続作業も容易に実施でき、作業者の負担を軽減できる。
そして、本体１は周設されている枠体１１により強度を維持でき、機器を組み付けても変形等生じないよう形成できる。更に、本体１に周設された段部１１ａに蓋体２の開放端部が係合して装着されるため、隙間が発生し難い。
また、取っ手２４を左右方向へ開く操作で本体１との係止が解除されるため、作業者は両手で左右から蓋体２を持ちながら、双方の親指で取っ手２４を開操作するスムーズな操作で蓋体２を本体１から分離できる。そして、分離した蓋体２を手前に引けば取り外しでき、箱体の周囲に隙間が無くても容易に蓋体２の着脱ができる。
【００２２】
尚、上記実施形態では、取っ手２４を左右双方に設けているが、一方のみでも良い。この場合、可動する係止爪２５も１つとなるが、他方の係止爪２５を固定としても蓋体２の本体１への係止、及び開操作は容易に実施できる。
【００２３】
また、上記実施形態では、開口部１２を上下に配置したが、左右に配置しても良いし、上下左右のそれぞれに設けても良い。
【００２４】
さらに、本発明に係る情報分電盤用箱体として、図８〜図１１に示すような本体３１を採用してもよい。図８は、本体３１を正面から示した説明図であり、図９は、本体３１の正面側を示した斜視説明図である。また、図１０は、図８中のＡ−Ａ線断面を示した説明図であり、図１１は、蓋体２が取り付けられた本体３１のＡ−Ａ線断面を示した説明図である。
【００２５】
以下、本体３１について簡略に説明する。本体３１は、本体１同様、断面コ字状に形成されて前後方向に一定の厚みを有する枠体３２が周設され、全体は板状に形成されてなる。そして、枠体３２の表面で上縁部には、外側の面に前方へ向かって先細りするような傾斜面が形成された複数の誘導段部３３、３３・・が設けられている。また、枠体３２の左右両側縁部や下縁部には、外側の面が前方へ向かって先細りするような傾斜面とされた複数の誘導突片３４、３４・・が突設されている。なお、枠体３２には、機器取付板５や電源コンセント６、６・・が取り付けられる。
【００２６】
このように本体３１を構成する枠体３２に、外側の面に前方へ向かって先細りするような傾斜面が形成された複数の誘導段部３３、３３・・や、外側の面が前方へ向かって先細りするような傾斜面とされた複数の誘導突片３４、３４・・が突設されているため、たとえ蓋体２の側面２２に反りが生じていたとしても、蓋体２の本体３１への取付時に、誘導段部３３や誘導突片３４により反りが修正されることになり、蓋体２を、その側面２２の後端縁が本体３１の外周縁に沿って隙間無く、本体３１に取り付けることができる。
【００２７】
また、本発明に係る情報分電盤用箱体として、図１２〜図１４に示すような蓋体４１を採用してもよい。図１２は、蓋体４１を後側から示した斜視説明図である。図１３及び図１４は、連携部材４２の軸着部を拡大して示した説明図であり、図１３は、回動ピン４３が挿通された状態を、図１４は回動ピン４３を取り付ける途中の段階にある状態を夫々示している。
【００２８】
連携部材４２は、上記取っ手２４と同様に蓋体４１の前面に左右方向へ移動操作可能に設けられた取っ手（図示せず）と、蓋体４１を本体１へ係止する係止爪４４とを連結するためのものであって、前後方向に長く帯状に形成されている。そして、当該連携部材４２の表面には、補強のために前後方向へ延びる複数のリブ４５、４５・・が上下方向に並設されている。また、連携部材４２の前後方向での中間部位は軸着部となっており、各リブ４５には、回動ピン４３を挿通可能な挿通孔４６が設けられている。一方、蓋体４１の側面の内面側には、連携部材４２を上下から挟むように一対の軸支壁４７、４７が立設されており、各軸支壁４７には、回動ピン４３を軸支するための軸支孔４８が穿設されている。なお、蓋体４１の天面及び底面には、蓋体２同様、通気によって蓋体４１内の熱を逃がすための複数の孔２３が穿設されている。
【００２９】
以上のような連携部材４２は、軸支壁４７、４７の間に位置させた後、軸支壁４７、４７及び軸着部を上下に貫通するように回動ピン４３を挿通させることにより、蓋体４１の内面に取り付けられることになるが、この回動ピン４３の挿通時に、軸支孔４８と挿通孔４６との位置を合わせる作業が煩わしい。そこで、当該連携部材４２では、上下両端の各リブ４５の軸着部に切り欠き４９が夫々設けられており、図１４に示すように切り欠き４９を介して軸支孔４８を目視可能としている。
【００３０】
このように帯状に形成されているとともに、その表面に複数のリブ４５、４５・・が前後方向へ延設された連携部材４２の軸着部において、上下両端の各リブ４５の軸着部に切り欠き４９が夫々設けられているため、連携部材４２の蓋体４１への取付時に、切り欠き４９を介して軸支孔４８を目視しながら軸支孔４８と挿通孔４６との位置を合わせつつ、回動ピン４３を挿通させることができる。したがって、連携部材４２の取付作業の容易化を図ることができる。
【符号の説明】
【００３１】
１・・本体、２・・蓋体、５・・機器取付板、１１・・枠体、１２・・開口部、２１・・前面板、２２・・側面板、２２ａ・・側面、２４・・取っ手、２５・・係止爪（可動爪）、２６・・連携部材、３１・・本体、３２・・枠体、３３・・誘導段部、３４・・誘導突片、４１・・蓋体、４２・・連携部材、４３・・回動ピン、４５・・リブ、４６・・挿通孔、４７・・軸支壁、４８・・軸支孔、４９・・切り欠き。
【図１】
0006796452.tif 000002
【図２】
0006796452.tif 000003
【図３】
0006796452.tif 000004
【図４】
0006796452.tif 000005
【図５】
0006796452.tif 000006
【図６】
0006796452.tif 000007
【図７】
0006796452.tif 000008
【図８】
0006796452.tif 000009
【図９】
0006796452.tif 000010
【図１０】
0006796452.tif 000011
【図１１】
0006796452.tif 000012
【図１２】
0006796452.tif 000013
【図１３】
0006796452.tif 000014
【図１４】
0006796452.tif 000015